(57)【要約】【課題】文字又は画像の色温度が異なって見えてしまうこと等を防止することができる表示装置を提供する。【解決手段】外部から入射する光の中のＲ、Ｇ、及び、Ｂの光の強度を表す第１の信号を出力する受光部３と、第１の信号に基づいて外部から入射する光の色温度を算出し、入射する光の色温度に応じた光を出射させるための制御信号を出力する制御部４と、制御信号に応じた光を出射するバックライト５と、バックライト５が出射する光を用いて文字又は画像を表示する半透過型ＬＣＤパネル２とを具備する。【選択図】  図１
2004294765.tif 000002
【特許請求の範囲】
【請求項１】
外部から入射する光を受光し、受光した光の周波数成分又は波長成分を表す第１の信号を出力する受光部と、
第２の信号に応じた光を出射する発光部と、
前記発光部が出射する光を用いて文字又は画像を表示する画像表示部と、
前記第１の信号に基づいて、前記画像表示部によって表示される文字又は画像が所望の色となるような光を前記発光部に出射させるための前記第２の信号を出力する制御部と、を具備する表示装置。
【請求項２】
前記受光部が、各々が所定の周波数又は波長の光を検出する複数の光センサを含む、請求項１記載の表示装置。
【請求項３】
前記発光部が、各々が所定の周波数又は波長の光を前記第２の信号に応じて出射する複数の発光素子を含む、請求項１又は２記載の表示装置。
【請求項４】
前記画像表示部が、半透過型ＬＣＤパネルである、請求項１〜３のいずれか１項に記載の表示装置。
【請求項５】
前記制御部が、前記第１の信号に基づいて外部から入射する光の色温度を算出し、算出した色温度に基づいて前記第２の信号を出力する、請求項１〜４のいずれか１項に記載の表示装置。
【請求項６】
外部から入射する光を受光し、受光した光の周波数成分又は波長成分を表す第１の信号を出力する受光部と、
第２の信号に基づいて文字又は画像を表示する画像表示部と、
前記第１の信号に基づいて、所望の色の文字又は画像を前記画像表示部に表示させるための前記第２の信号を出力する制御部と、を具備する表示装置。
【請求項７】
前記受光部が、各々が所定の周波数又は波長の光を検出する複数の光センサを含む、請求項６記載の表示装置。
【請求項８】
前記制御部が、前記第１の信号に基づいて、外部から入射する光の色温度を算出し、算出した色温度に基づいて前記第２の信号を出力する、請求項６又は７記載の表示装置。
【請求項９】
所定の光を出射する発光部を更に具備し、前記画像表示部が、前記第２の信号に基づいて、前記発光部が出射する光を用いて文字又は画像を表示する、請求項６〜８のいずれか１項に記載の表示装置。
【請求項１０】
前記画像表示部が、半透過型ＬＣＤパネルである、請求項９記載の表示装置。
【請求項１１】
色補正を行うための複数のルックアップテーブルを格納するメモリを更に具備し、前記制御部が、前記第１の信号に応じて前記複数のルックアップテーブルの中から１つのルックアップテーブルを選択し、選択したルックアップテーブルを用いて外部から入力される画像信号に色補正を行い、色補正の結果として得られた信号を前記第２の信号として出力する、請求項６〜１０のいずれか１項に記載の半導体装置。
【発明の詳細な説明】
【０００１】
【発明の属する技術分野】
本発明は、文字又は画像を表示するための表示装置に関する。
【０００２】
【従来の技術】
現在、携帯電話装置、ＰＤＡ（Ｐｅｒｓｏｎａｌ  Ｄｉｇｉｔａｌ  Ａｓｓｉｓｔａｎｔｓ）等において広く用いられているＬＣＤ（Ｌｉｑｕｉｄ  Ｃｒｙｓｔａｌ  Ｄｉｓｐｌａｙ）パネルには、（１）反射型ＬＣＤパネル、（２）透過型ＬＣＤパネル、（３）半透過型ＬＣＤパネルの３種類が存在する。
反射型ＬＣＤパネルは、表示面側から入射した光を反射する反射層を有しており、この反射層で反射された光を用いて文字及び画像を表示するものである。反射型ＬＣＤパネルにおいては、暗い場所で文字及び画像が見にくくなってしまうという問題があり、透過型ＬＣＤパネル及び半透過型ＬＣＤパネルは、このような反射型ＬＣＤパネルの問題を解決するものである。
【０００３】
透過型ＬＣＤパネルは、表示面と反対側の面にバックライトとも呼ばれる発光部を有している。この発光部から出射した光は、表示面と反対側の面から表示面へ透過し、透過型ＬＣＤパネルは、この透過光を用いて文字及び画像を表示する。
半透過型ＬＣＤパネルは、表示面と反対側の面に発光部を有するとともに、表示面側から入射した光を反射する反射層を有している。そして、半透過型ＬＣＤパネルは、暗い場所においては、発光部を発光させ、発光部から出射した光を用いて文字及び画像を表示する。一方、半透過型ＬＣＤパネルは、明るい場所においては、発光部を発光させず、反射層で反射された外光を用いて文字及び画像を表示する。
【０００４】
しかしながら、半透過型ＬＣＤパネルにおいては、発光部から出射した光を用いて文字又は画像を表示したときと反射層で反射された外光を用いて文字及び画像を表示したときとでは、文字又は画像の色温度が異なってしまうという問題があった。ここで、色温度とは、光の色を表す尺度であり、黒体を熱することにより出射される光が対象光と同じ色となるときの黒体の温度をいう。
また、透過型ＬＣＤパネルにおいては、外光と発光部から出射した光との対比により、ユーザにおいて文字又は画像が所望の色温度で見ることができないことがあった。
【０００５】
ところで、外部から受光する光量の大きさ、外光照度等に応じてバックライトの輝度を調整する技術が知られている（例えば、特許文献１〜５参照）。
しかしながら、特許文献１〜５に掲載された技術は、発光部から出射した光を用いて文字又は画像を表示したときと、外光を用いて文字及び画像を表示したときとで、文字又は画像の色温度が異なってしまうこと等を防止するものではない。
【０００６】
【特許文献１】
特開平６−１１７１３号公報（第１頁、図１）
【特許文献２】
特開平６−２７４４０号公報（第１頁、図１）
【特許文献３】
特開平９−１４６０７３号公報（第１頁、図１）
【特許文献４】
特開２０００−１１２３８２号公報（第１頁、図２）
【特許文献５】
特許第２６２３７１０号公報（第１〜２頁、第１図）
【０００７】
【発明が解決しようとする課題】
そこで、上記の点に鑑み、本発明は、発光部から出射した光を用いて文字又は画像を表示したときと外光を用いて文字及び画像を表示したときとで、文字又は画像の色温度が異なってしまうこと等を防止することができる表示装置を提供することを目的とする。
【０００８】
【課題を解決するための手段】
以上の課題を解決するため、本発明の第１の観点に係る表示装置は、外部から入射する光を受光し、受光した光の周波数成分又は波長成分を表す第１の信号を出力する受光部と、第２の信号に応じた光を出射する発光部と、発光部が出射する光を用いて文字又は画像を表示する画像表示部と、第１の信号に基づいて、画像表示部によって表示される文字又は画像が所望の色となるような光を発光部に出射させるための第２の信号を出力する制御部とを具備する。
【０００９】
ここで、受光部が、各々が所定の周波数又は波長の光を検出する複数の光センサを含んでいても良い。また、発光部が、各々が所定の周波数又は波長の光を第２の信号に応じて出射する複数の発光素子を含んでいても良い。また、画像表示部が、半透過型ＬＣＤパネルであっても良い。また、制御部が、第１の信号に基づいて外部から入射する光の色温度を算出し、算出した色温度に基づいて第２の信号を出力することとしても良い。
【００１０】
また、本発明の第２の観点に係る表示装置は、外部から入射する光を受光し、受光した光の周波数成分又は波長成分を表す第１の信号を出力する受光部と、第２の信号に基づいて文字又は画像を表示する画像表示部と、第１の信号に基づいて、所望の色の文字又は画像を画像表示部に表示させるための第２の信号を出力する制御部とを具備する。
【００１１】
ここで、受光部が、各々が所定の周波数又は波長の光を検出する複数の光センサを含んでいても良い。また、制御部が、第１の信号に基づいて、外部から入射する光の色温度を算出し、算出した色温度に基づいて第２の信号を出力することとしても良い。また、所定の光を出射する発光部を更に具備し、画像表示部が、第２の信号に基づいて、発光部が出射する光を用いて文字又は画像を表示することとしても良い。また、画像表示部が、半透過型ＬＣＤパネルであっても良い。
また、色補正を行うための複数のルックアップテーブルを格納するメモリを更に具備し、制御部が、第１の信号に応じて複数のルックアップテーブルの中から１つのルックアップテーブルを選択し、選択したルックアップテーブルを用いて外部から入力される画像信号に色補正を行い、色補正の結果として得られた信号を第２の信号として出力することとしても良い。
【００１２】
以上の構成によれば、発光部から出射した光を用いて文字又は画像を表示したときと、外光を用いて文字及び画像を表示したときとで、文字又は画像の色温度が異なってしまうこと等を防止することができる。
【００１３】
【発明の実施の形態】
以下、図面を参照しながら、本発明の実施の形態について説明する。なお、同一の構成要素については、同一の参照番号で示している。
図１は、本発明の第１の実施形態としての表示装置を示す図である。図１に示すように、表示装置１は、半透過型ＬＣＤパネル２と、受光部３と、制御部４と、バックライト５とを具備する。
【００１４】
半透過型ＬＣＤパネル２は、外部から入力される画像信号に基づいて、文字又は画像を表示する。
受光部３は、Ｒ（赤）の光の強度を検出する光センサ（Ｒ）１１と、Ｇ（緑）の光の強度を検出する光センサ（Ｇ）１２と、Ｂ（青）の光の強度を検出する光センサ（Ｂ）１３とを具備しており、外部から入射する光の中のＲ（赤）、Ｇ（緑）、及び、Ｂ（青）の光の強度を表す信号を制御部４に出力する。
【００１５】
制御部４は、外部から入射する光の中のＲ（赤）、Ｇ（緑）、及び、Ｂ（青）の光の強度を表す信号を受光部３から受け取り、これらの信号に基づいて外部から入射する光の色温度を算出する。そして、制御部４は、外部から入射する光の色温度に応じた色温度の光を出射することを指示する制御信号をバックライト３に出力する。
バックライト３内には、Ｒ（赤）の光を出射する第１の素子、Ｇ（緑）の光を出射する第２の素子、及び、Ｂ（青）の光を出射する第３の素子をモールドに封入した発光部が３〜４個程度配置されており、これらの発光部から出射された光は、導光板によって半透過型ＬＣＤパネル２の全面に拡散される。バックライト３は、制御信号に応じた色温度の光を、半透過型ＬＣＤパネル２の表示面と反対側の面から表示面に向かって出射する。
【００１６】
このように、表示装置１によれば、外部から入射する光の色温度に応じた色温度の光を出射し、この出射光を用いて文字又は画像を表示する。そのため、外部から入射する光を用いて文字又は画像を表示したときとバックライト５から出射した光を用いて文字又は画像を表示したときとで、ユーザにおいて文字又は画像の色温度が異なって見えてしまうこと等を防止することができる。
【００１７】
次に、本発明の第２の実施形態について説明する。図２は、本発明の第２の実施形態としての表示装置を示す図である。図２に示すように、表示装置２０は、半透過型ＬＣＤパネル２と、受光部３と、バックライト２１と、制御部２２と、ＲＯＭ２３とを具備する。
バックライト２１は、所定の色温度の光を半透過型ＬＣＤパネル２の表示面と反対側の面から表示面に向けて出射し、半透過型ＬＣＤパネル２は、バックライト２１が出射する光を用いて、文字又は画像を表示する。
【００１８】
制御部２２は、外部から入射する光の中のＲ（赤）、Ｇ（緑）、及び、Ｂ（青）の光の強度を表す信号を受光部３から受け取り、これらの信号に基づいて外部から入射する光の色温度を算出する。ＲＯＭ２３には、外部から入射する光の色温度に応じた色で文字又は画像を表示するための色補正を行うための複数のルックアップテーブルが格納されており、制御部２２は、外部から入射する光の色温度に応じて、ＲＯＭ２３に格納されている複数のルックアップテーブルの中から１つのルックアップテーブルを選択する。そして、制御部２２は、選択したルックアップテーブルを用いて外部から入力される画像信号に色補正を行い、色補正後の画像信号を半透過型ＬＣＤパネル２に出力する。
【００１９】
このように、表示装置２０によれば、外部から入射する光の色温度に応じて、複数のルックアップテーブルの中から１つのルックアップテーブルを選択し、選択したルックアップテーブルを用いて外部から入力される画像信号に色補正を行い、色補正が施された画像信号に基づいて文字又は画像を表示する。そのため、ユーザにおいて文字又は画像の色温度が異なって見えてしまうこと等を防止することができる。
【００２０】
なお、本実施形態においては、半透過型ＬＣＤパネル２及びバックライト２１を用いているが、これらに代えて、有機ＥＬパネルを用いることとしても良い。
また、半透過型ＬＣＤパネル２及びバックライト２１に代えて、スクリーンに光を投射する投射装置を用いることとしても良い。その場合には、スクリーンに所定の光を当て、受光部３が、スクリーンからの光を受光することとしても良い。
【００２１】
また、第１及び第２の実施形態においては、３個の光センサ１１〜１３を具備することとしているが、２個の光センサ（例えば、光センサ（Ｒ）１１と光センサ（Ｂ）１３等）を具備することとしても良い。
【図面の簡単な説明】
【図１】本発明の第１実施形態に係る表示装置を示す図。
【図２】本発明の第２実施形態に係る表示装置を示す図。
【符号の説明】
１、２０  表示装置、２  半透過型ＬＣＤパネル、３  受光部、４、２２  制御部、５、２１  バックライト、１１〜１３  光センサ、２３  ＲＯＭ
【図１】
2004294765.tif 000003
【図２】
2004294765.tif 000004